(57)【特許請求の範囲】
【請求項１】
前輪（２ｆ）を回転可能に支持するフロントフォーク（３）を回動可能に支持するヘッドパイプ（１１）と、このヘッドパイプ（１１）から後方へ延びるメインフレーム（１２）と、このメインフレーム（１２）の後下部に設けられ、後輪（２ｒ）を揺動可能に支持する支持部材（４）を軸支するピボット部（１４）とを有し、前記ピボット部（１４）の前方に原動機（２０）が配置される車体フレーム（１０）と、
この車体フレーム（１０）と前記支持部材（４）とを連結するクッションユニット（５）と、
前記ヘッドパイプ（１１）の後方で前記原動機（２０）の上方に配置される容器（３０）とを備えた鞍乗型車両の車体フレーム（１０）構造であって、
前記車体フレーム（１０）のメインフレーム（１２）を前記ヘッドパイプ（１１）から後方へ向かって一旦上方へ延びる上方延出部（１２ａ）を有するアーチ状として前記容器（３０）の上側に配置するとともに前記容器（３０）は前記メインフレーム（１２）の内側に沿わせて配置し、かつ該メインフレーム（１２）の少なくとも一部を車両上方へ露出させ、
前記容器（３０）はガソリンタンクとして構成するとともに、前記メインフレーム（１２）は前記ガソリンタンク（３０）の車両幅方向の略中央に配置し、該メインフレーム（１２）を貫通させてガソリンタンクの燃料キャップ（３４）を設けたことを特徴とする鞍乗型車両の車体フレーム構造。
【請求項２】
請求項１において、
前記ヘッドパイプ（１１）の左右から下方に延び、車両幅方向に関し、前記容器（３０）よりも外側に配置される左右一対のダウンフレーム（１６）を備えていることを特徴とする鞍乗型車両の車体フレーム構造。
【請求項３】
請求項２において、
側面視で、前記メインフレーム（１２）の前部と前記ダウンフレーム（１６）の上部とのなす角度（θ）を鈍角とし、前記メインフレーム（１２）の前部と前記ダウンフレーム（１６）の上部との間に、容器（３０）の前部（３１）を配置したことを特徴とする鞍乗型車両の車体フレーム構造。
【請求項４】
請求項１〜３のうちいずれか一項において、
前記メインフレーム（１２）の断面形状は、車両前後方向から見て、縦より横が長い幅広形状としたことを特徴とする鞍乗型車両の車体フレーム構造。
【請求項５】
請求項１〜４のうちいずれか一項において、
前記原動機（２０）は、クランクケース（２１）と、該クランクケース（２１）の前部から上方へ延出するシリンダブロック（２２）とを有するエンジンであり、前記容器（３０）の底面（３３）が前記シリンダブロック（２２）に対向して配置されることを特徴とする鞍乗型車両の車体フレーム構造。
【発明の詳細な説明】
【技術分野】
【０００１】
本発明は、鞍乗型車両の車体フレーム構造に関するものである。
【背景技術】
【０００２】
従来、鞍乗型車両の車体フレーム構造として、例えば特許文献１に見られるような構造が知られている。同文献の符号を借りて説明すると、この鞍乗型車両の車体フレーム構造は、前輪（２）を回転可能に支持するフロントフォーク（３）を回動可能に支持するヘッドパイプ（６）と、このヘッドパイプ（６）から後方へ延びるメインフレーム（１２）と、このメインフレーム（１２）の後下部に設けられ、後輪（８）を揺動可能に支持する支持部材（９）を軸支するピボット部（１０）とを有し、ピボット部（１０）の前方に原動機（１５）が配置される金属製の車体フレーム（５）と、
ヘッドパイプ（６）の後方で原動機（１５）の上方に配置される容器としての燃料タンク（２７）とを備えている。
この特許文献１における燃料タンク（２７）は、前記メインフレーム（１２）上に、該メインフレーム（１２）を上から跨ぐようにして設けられている。
【０００３】
また、従来、例えば特許文献２に見られるように、メインフレーム（１１１）およびピボット部（１０９）が左右一対のものとして構成され、左右一対のメインフレーム（１１１）の上部に燃料タンクが配置された構造も知られている。
【先行技術文献】
【特許文献】
【０００４】
【特許文献１】特許第４６２８９２７号公報
【特許文献２】特開２０１０−２７４７６１号公報
【発明の概要】
【発明が解決しようとする課題】
【０００５】
上述した従来の鞍乗型車両の車体フレーム構造では、車体フレームにおけるメインフレームの上方に容器としての燃料タンクが配置されているため、車両全体を側方から見たとき、車体フレームの外側に容器が位置することとなり、剛性面での課題があった。
したがって、本発明が解決しようとする課題は、剛性を改善できる鞍乗型車両の車体フレーム構造を提供することである。
【課題を解決するための手段】
【０００６】
上記課題を解決するために本発明の鞍乗型車両の車体フレーム構造は、前輪を回転可能に支持するフロントフォークを回動可能に支持するヘッドパイプと、このヘッドパイプから後方へ延びるメインフレームと、このメインフレームの後下部に設けられ、後輪を揺動可能に支持する支持部材を軸支するピボット部とを有し、前記ピボット部の前方に原動機が配置される車体フレームと、
この車体フレームと前記支持部材とを連結するクッションユニットと、
前記ヘッドパイプの後方で前記原動機の上方に配置される容器とを備えた鞍乗型車両の車体フレーム構造であって、
前記車体フレームのメインフレームを前記ヘッドパイプから後方へ向かって一旦上方へ延びる上方延出部を有するアーチ状として前記容器の上側に配置するとともに前記容器は前記メインフレームの内側に沿わせて配置し、かつ該メインフレームの少なくとも一部を車両上方へ露出させ、
前記容器はガソリンタンクとして構成するとともに、前記メインフレームは前記ガソリンタンクの車両幅方向の略中央に配置し、該メインフレームを貫通させてガソリンタンクの燃料キャップを設けたことを特徴とする。
この鞍乗型車両の車体フレーム構造によれば、車体フレームのメインフレームが前記容器の上側に配置され、かつ該メインフレーム上面の少なくとも一部が車両上方へ露出しているから、車両全体を側方から見たとき、車体フレームの内側に容器が位置し、容器の外側に車体フレームのメインフレームが位置することとなる。したがって、車両全体としての剛性の向上を図ることが可能となる。
また、前記容器は、前記メインフレームの内側に沿わせて配置した構成となっているので、外観を向上させつつ、容器で車体フレームを補強することが可能となる。
前記車体フレームは、前記ヘッドパイプの左右から下方に延び、車両幅方向に関し、前記容器よりも外側に配置される左右一対のダウンフレームを備えている構成とすることができる。
このように構成すると、左右一対のダウンフレームによって、側方の衝撃から容器を保護することが可能となる。
側面視で、前記メインフレームの前部と前記ダウンフレームの上部とのなす角度を鈍角とし、前記メインフレームの前部と前記ダウンフレームの上部との間に、容器の前部を配置した構成とすることができる。
このように構成すると、容器前部の容量増加を図ることが可能となる。特に、容器を、小物入れ等の収納容器として構成した場合、容器前部に手を入れやすくなるので、使い勝手を良好とすることができる。
前記メインフレームの断面形状は、車両前後方向から見て、縦より横が長い幅広形状とすることができる。
このように構成すると、メインフレームの上方への突出を抑制することができ、外観の向上を図ることができる。
前記原動機が、クランクケースと、該クランクケースの前部から上方へ延出するシリンダブロックとを有するエンジンである場合には、前記容器の底面が前記シリンダブロックに対向して配置される構成とすることができる。
このように構成すると、容器底面により、シリンダブロックからの熱気が上方に上がることを抑制することができる。
【図面の簡単な説明】
【０００７】
【図１】本発明に係る鞍乗型車両の車体フレーム構造の実施の形態を用いた車両の一例としての自動二輪車の側面図。
【図２】車体フレーム構造の一実施の形態を示す斜視図。
【図３】同じく部分省略正面図。
【図４】図２におけるＩＶ−ＩＶ端面図。
【発明を実施するための形態】
【０００８】
以下、本発明に係る鞍乗型車両の車体フレーム構造の実施の形態について図面を参照して説明する。なお、各図において、同一部分ないし相当する部分には、同一の符号を付してある。
【０００９】
図１に示す鞍乗型車両は自動二輪車である。
この自動二輪車１は、前輪２ｆを回転可能に支持するフロントフォーク３を回動可能に支持するヘッドパイプ１１と、このヘッドパイプ１１から後方へ延びるメインフレーム１２と、このメインフレーム１２の後下部に設けられ、後輪２ｒを揺動可能に支持する支持部材４を軸支するピボット部１４とを有し、ピボット部１４の前方に原動機２０が配置される車体フレーム１０と、ヘッドパイプ１１の後方で原動機２０の上方に配置される容器３０とを備えている。
容器３０は、原動機２０の動力源（例えばガソリン、バッテリー）が収容される動力源容器（例えばガソリンタンク、バッテリーケース）の他、エアクリーナ容器、小物等の物品収納容器等として構成することができる。
【００１０】
図１，図２に示すように、この自動二輪車１における車体フレーム構造は、車体フレーム１０のメインフレーム１２を容器３０の上側に配置し、かつメインフレーム１２上面１２ｕ（図２）の少なくとも一部を車両上方へ露出させたことを特徴とする。
このような構造によれば、車体フレーム１０のメインフレーム１２が容器３０の上側に配置され、かつメインフレーム１２の上面１２ｕの少なくとも一部が車両上方へ露出しているから、車両全体を側方から見たとき（図１参照）、車体フレーム１０の内側に容器３０が位置し、容器３０の外側に車体フレーム１０のメインフレーム１２が位置することとなる。したがって、容器３０の上部においてメインフレーム１２が車両の外殻部材を構成することとなり、車両全体としての剛性の向上を図ることが可能となる。
また、容器３０は車体フレーム１０で保護されるため、容器３０自体の軽量化を図ることができ、結果として、車両全体の軽量化を図ることができる。
また、車両全体を側方から見たとき（図１参照）、車体フレーム１０の内側に容器３０が位置し、容器３０の外側に車体フレーム１０のメインフレーム１２が位置することとなるから、外観性を向上させることが可能となる。
【００１１】
後輪２ｒを揺動可能に支持する支持部材４は、スイングアームで構成することができる。支持部材４は、ピボット部１４にピボット軸４ｐで揺動可能に支持される。支持部材４と、車体フレーム１０との間には、クッションユニット５が設けられる。クッションユニット５の上端は、車体フレーム１０における連結部１５（図２参照）に軸１５ａ（図１）で連結され、クッションユニット５の下端は、支持部材４における連結部４ｊに軸４ａで連結される。
【００１２】
車体フレーム１０は、金属、例えばアルミニウム合金で、一体成型することができる。
メインフレーム１２は、ヘッドパイプ１１からピボット部１４へ向かって上方へ凸状をなすアーチ状とすることができる。望ましくは、ヘッドパイプ１１から後方へ向かって一旦上方へ延びる上方延出部１２ａ（図２）を有するアーチ状とする。
そのように構成すると、一層、剛性の向上を図ることができる。
【００１３】
この実施の形態のメインフレーム１２は、ヘッドパイプ１１から後方へ向かって一旦上方へ延びる上方延出部１２ａと、その後部から第１屈曲部１２ｂを介して略水平方向（あるいは僅かに下方へ向かう）後方延出部１２ｃと、その後部から第２屈曲部１２ｄを介して後下部に向かう下方延出部１２ｅとを有し、この下方延出部１２ｅの下部に、前記ピボット部１４が設けられる。
【００１４】
この実施の形態のメインフレーム１２は、その上面１２ｕのほとんどの部分が、車両上方へ向かって露出しているが、一部のみ露出させるようにすることができる。例えば前側略半分のみを露出させるようにすることもできる。具体的には、例えば、上方延出部１２ａ、第１屈曲部１２ｂ、および後方延出部１２ｃの上面のみを露出させ、第２屈曲部１２ｄおよび下方延出部１２ｅの上部は、図示しないカバーまたは、運転者が座るシート６（図１）の前部で覆うようにすることもできる。
【００１５】
図４に示すように、メインフレーム１２の断面形状は、車両前後方向から見て、縦より横が長い幅広形状とすることができる。
このように構成すると、メインフレーム１２の上方への突出を抑制することができ、外観の向上を図ることができる。メインフレーム１２の幅Ｗ１は容器３０上面３２の幅Ｗ２の１／３以上とすることが、容器保護および外観性向上の観点から、望ましい。
図示の断面形状は矩形としたが、横長（幅広）の楕円形状とすることもできる。
【００１６】
図１〜図３に示すように、車体フレーム１０は、ヘッドパイプ１１の左右から下方に延び、車両幅方向に関し、容器３０よりも外側に配置される左右一対のダウンフレーム１６、１６を備えている構成とすることができる。
このように構成すると、左右一対のダウンフレーム１６、１６によって、側方の衝撃から容器３０を保護することが可能となる。
【００１７】
図１に示すように、側面視で、メインフレーム１２の前部とダウンフレーム１６の上部とのなす角度θを鈍角とし、メインフレーム１２の前部とダウンフレーム１６の上部との間に、容器３０の前部３１を配置した構成とすることができる。
このように構成すると、容器３０の前部３１の容量増加を図ることが可能となる。特に、容器３０を、小物入れ等の収納容器として構成した場合、容器前部に手を入れやすくなるので、使い勝手を良好とすることができる。
【００１８】
図１に示すように、原動機２０は、クランクケース２１と、該クランクケース２１の前部から上方へ延出するシリンダブロック２２とを有するエンジンで構成することができる。この場合、容器３０の底面３３がシリンダブロック２２に対向して配置される構成とすることが望ましい。
そのように構成すると、容器底面３３により、シリンダブロック２２からの熱気が上方に上がることを抑制することができる。
【００１９】
図１，図２に示すように、容器３０は、メインフレーム１２の内側に沿わせて配置した構成とすることができる。
このように構成すると、外観を向上させつつ、容器３０で車体フレーム１０を補強することが可能となる。容器３０は、メインフレーム１２の少なくとも上方延出部１２ａと下方延出部１２ｅとに沿わせて配置することが望ましい。
容器３０をガソリンタンクとして構成する場合には、メインフレーム１２を貫通させてガソリンタンクの燃料キャップ３４を設けることができる。
【００２０】
図１、２において、１５ｂ、１５ｂはシートレール４０の固定部、１５ｃ、１６ｃはエンジン固定部である。
【００２１】
以上、本発明の実施の形態について説明したが、本発明は上記の実施の形態に限定されるものではなく、本発明の要旨の範囲内において適宜変形実施可能である。例えば、鞍乗型車両としては、二輪車の他、三輪車、四輪車を挙げることができる。
【符号の説明】
【００２２】
１：自動二輪車（鞍乗型車両）、２ｆ：前輪、２ｒ：後輪、３：フロントフォーク、４：スイングアーム（支持部材）、１０：車体フレーム、１１：ヘッドパイプ、１２：メインフレーム、１４：ピボット部、１６：ダウンフレーム、２０：原動機、２１：クランクケース、２２：シリンダブロック、３０：容器、３３：底面。
【図１】
0005800649.tif 000002
【図２】
0005800649.tif 000003
【図３】
0005800649.tif 000004
【図４】
0005800649.tif 000005